(57)【要約】【課題】組み立て易く、操作パイプの先端が引っ掛ることの無い電気掃除機を提供する。【解決手段】集塵室（図示せず）と電動送風機（図示せず）とを有し吸込口体（図示せず）の上に設けられた掃除機本体２と、掃除機本体２に着脱可能で且つ一端に把手部（図示せず）を有し、他端に傾斜部２５を有する伸縮自在の操作パイプ３と、一端が操作パイプ３の一端に接続され操作パイプ３と集塵室とを連通する集塵ホース（図示せず）と、操作パイプ３の他端を収納する収納体１７に設けられると共に、操作パイプ３の他端を収納体１７に収納した時に、操作パイプ３の他端を密閉する閉塞体２０を備え、収納体１７の側壁の閉塞体２０の近傍で且つ傾斜部２５に相対する部分に、開口部２１を形成したもので、開口部２１を通して閉塞体２０が簡単に取り付けられ、しかも操作パイプ３を収納体１７内に収納する際、傾斜部２５で操作パイプ３の先端が開口部２１に引っ掛からない。【選択図】図３
2010194210.tif 000002
【特許請求の範囲】
【請求項１】
底面に吸込開口を有する吸込口体と、集塵室と電動送風機とを有すると共に前記吸込口体の上に設けられた掃除機本体と、前記掃除機本体に着脱可能に装着され且つ一端に把手部を有し、他端に傾斜部を有する伸縮自在の操作パイプと、一端が前記操作パイプの一端に接続され他端が前記掃除機本体に接続されると共に、前記操作パイプと前記集塵室とを連通する集塵ホースと、前記操作パイプの他端を収納する収納体と、前記収納体に設けられると共に、前記操作パイプの他端を前記収納体に収納したときに、前記操作パイプの他端を密閉する閉塞体とを備え、前記収納体の側壁の前記閉塞体の近傍で且つ前記傾斜部に相対する部分に、前記閉塞体を取り付けるための開口部を形成したことを特徴とする電気掃除機。
【請求項２】
底面に吸込開口を有する吸込口体と、集塵室と電動送風機とを有すると共に前記吸込口体の上に設けられた掃除機本体と、前記掃除機本体に着脱可能に装着され且つ一端に把手部を有し、他端が略円弧状に形成された伸縮自在の操作パイプと、一端が前記操作パイプの一端に接続され、他端が前記掃除機本体に接続されると共に、前記操作パイプと前記集塵室とを連通する集塵ホースと、前記操作パイプの他端を収納する収納体と、前記収納体に設けられると共に、前記操作パイプの他端を前記収納体に収納したときに、前記操作パイプの他端を密閉する閉塞体とを備え、前記収納体の側壁の前記閉塞体の近傍に、前記閉塞体を取り付けるための開口部を形成したことを特徴とする電気掃除機。
【請求項３】
収納体の側壁の開口部よりも上方に、操作パイプの他端に設けた傾斜部又は、略円弧形状部をガイドするガイドリブを設けたことを特徴とする請求項１または２に記載の電気掃除機。
【発明の詳細な説明】
【技術分野】
【０００１】
本発明は、掃除機本体に伸縮自在の操作パイプを有する電気掃除機に関するものである。
【背景技術】
【０００２】
従来の電気掃除機について、図７を用いて説明する。図７は、従来の電気掃除機の全体側面図である。
【０００３】
図７において、従来の電気掃除機は、底面に吸込開口（図示せず）を有する吸込口体５０と、この吸込口体５０の上に設けた掃除機本体５１と、この掃除機本体５１に着脱可能に取り付けたパイプ５２からなるハンドル５３とを備え、このハンドル５３の上部には、把手部５４が設けられ、ハンドル５３の上端には、集塵ホース５５の一端が接続され、集塵ホース５５の他端は掃除機本体５１に接続されている。そして、集塵ホース５５と掃除機本体５１内の集塵室５６とが連通している。吸込口体５０も集塵室５６に連通しているが、掃除機本体５１を立てた状態では、その連通が遮断される構造となっている。掃除機本体５１に装着されたハンドル５３の先端部は密閉されている。したがってハンドル５３の先端部からの吸込みは、掃除機本体５１を立てた状態で、ハンドル５３を掃除機本体５１から取外すことによって出来るようになっている。
【０００４】
ここでハンドル５３の先端部の密閉構成として、収容部５７の底面には、パイプ５２の挿入・引き抜き方向に進退可能に設けられ、パイプ５２の端部と接触するレバー５８が設けられており、そして、収容部５７内にパイプ５２が収容されているときには、レバー５８は、パイプ５２の端部によって弁体５９に向けて押圧されている。そして、レバー５８は、弁体５９を連結口６０に向けて押圧し、連結口６０は、弁体５９によって閉塞されている。
【０００５】
図８は、従来の他の電気掃除機の全体側面図、図９は、同電気掃除機の収納体部の拡大断面図を示すもので、収容部５７の底面に閉塞体６１を設けてパイプ５２の端部と圧接させて、パイプ５２の端部を閉塞させるようにしたものもあった（例えば、特許文献１参照）。
【０００６】
しかし、収容部５７の底面奥に閉塞体６１を配設する組込み作業は、非常に困難で、収容部５７の底面奥に人の手、指が届かず治具や工具を必要とし、時間と手間が掛かるという問題があった。
【０００７】
そこで、この問題を解決するために、図１０に示すように、閉塞体６１の近傍の収納体６２の側壁に開口部６３を形成して、その開口部６３から指を挿入して、収納体６２内の奥に閉塞体６１を容易に配設できるようにしたものがある。
【特許文献１】特開２００８−７３３０３号公報
【発明の開示】
【発明が解決しようとする課題】
【０００８】
しかしながら、図１０に示す従来の電気掃除機の構成では、パイプ５２の他端部の先端を収納体６２内に収納する際に、パイプ５２の先端がこの開口部６３の端面に当たって引っ掛り、非常に収納し難いという課題があった。
【０００９】
本発明は、上記課題を解決するもので、収納体内への閉塞体の組込み作業を非常に容易にすると共に、操作パイプの先端を収納体内に収納する際に、操作パイプの先端が開口部の端面に当たって引っ掛ることない使用勝手が良く、軽労働で組立て易い電気掃除機を提供することを目的とする。
【課題を解決するための手段】
【００１０】
上記従来の課題を解決するために、本発明の電気掃除機は、底面に吸込開口を有する吸込口体と、集塵室と電動送風機とを有すると共に前記吸込口体の上に設けられた掃除機本体と、前記掃除機本体に着脱可能に装着され且つ一端に把手部を有し、他端に傾斜部を有する伸縮自在の操作パイプと、一端が前記操作パイプの一端に接続され、他端が前記掃除機本体に接続されると共に、前記操作パイプと前記集塵室とを連通する集塵ホースと、前記操作パイプの他端を収納する収納体と、前記収納体に設けられると共に、前記操作パイプの他端を前記収納体に収納したときに、前記操作パイプの他端を密閉する閉塞体を備え、前記収納体の側壁の前記閉塞体の近傍で且つ前記傾斜部に相対する部分に、前記閉塞体を取り付けるための開口部を形成したもので、収納体内の奥に閉塞体を配設する為の組込み作業を収納体の側壁に形成した開口部から指を挿入して行うことが出来、収納体内への閉塞体の組込み作業を非常に容易にすると共に操作パイプの先端を収納体内に収納する際に操作パイプの先端が開口部の端面に当たって引っ掛るのを傾斜部によって防止することが出来る。
【００１１】
また、本発明の電気掃除機は、底面に吸込開口を有する吸込口体と、集塵室と電動送風機とを有すると共に前記吸込口体の上に設けられた掃除機本体と、前記掃除機本体に着脱可能に装着され且つ一端に把手部を有し、他端が略円弧状に形成された伸縮自在の操作パイプと、一端が前記操作パイプの一端に接続され、他端が前記掃除機本体に接続されると共に、前記操作パイプと前記集塵室とを連通する集塵ホースと、前記操作パイプの他端を収納する収納体と、前記収納体に設けられると共に、前記操作パイプの他端を前記収納体に収納したときに、前記操作パイプの他端を密閉する閉塞体を備え、前記収納体の側壁の前記閉塞体の近傍に、前記閉塞体を取り付けるための開口部を形成したもので、収納体内の奥に閉塞体を配設する為の組込み作業を収納体の側壁に形成した開口部から指を挿入して行うことが出来、収納体内への閉塞体の組込み作業を非常に容易にすると共に操作パイプの先端を収納体内に収納する際に、操作パイプの先端が開口部の端面に当たって引っ掛るのを略円弧形状部によって防止することが出来る。
【発明の効果】
【００１２】
本発明の電気掃除機は、収納体内への閉塞体の組込み作業を非常に容易にすることが出来ると共に操作パイプの先端を収納体内に収納する際に操作パイプの先端が開口部の端面に当たって引っ掛るのを防止する軽労働の組立て易い電気掃除機を提供できる。
【発明を実施するための最良の形態】
【００１３】
第１の発明は、底面に吸込開口を有する吸込口体と、集塵室と電動送風機とを有すると共に前記吸込口体の上に設けられた掃除機本体と、前記掃除機本体に着脱可能に装着され且つ一端に把手部を有し、他端に傾斜部を有する伸縮自在の操作パイプと、一端が前記操作パイプの一端に接続され、他端が前記掃除機本体に接続されると共に、前記操作パイプと前記集塵室とを連通する集塵ホースと、前記操作パイプの他端を収納する収納体と、前記収納体に設けられると共に、前記操作パイプの他端を前記収納体に収納したときに、前記操作パイプの他端を密閉する閉塞体を備え、前記収納体の側壁の前記閉塞体の近傍で且つ前記傾斜部に相対する部分に、前記閉塞体を取り付けるための開口部を形成したもので、収納体内の奥に閉塞体を配設する為の組込み作業を収納体の側壁に形成した開口部から指を挿入して行うことが出来、収納体内への閉塞体の組込み作業を非常に容易にすると共に操作パイプの先端を収納体内に収納する際に操作パイプの先端が開口部の端面に当たって引っ掛るのを傾斜部によって防止することが出来る。
【００１４】
第２の発明は、底面に吸込開口を有する吸込口体と、集塵室と電動送風機とを有すると共に前記吸込口体の上に設けられた掃除機本体と、前記掃除機本体に着脱可能に装着され且つ一端に把手部を有し、他端が略円弧状に形成された伸縮自在の操作パイプと、一端が前記操作パイプの一端に接続され、他端が前記掃除機本体に接続されると共に、前記操作パイプと前記集塵室とを連通する集塵ホースと、前記操作パイプの他端を収納する収納体と、前記収納体に設けられると共に、前記操作パイプの他端を前記収納体に収納したときに、前記操作パイプの他端を密閉する閉塞体を備え、前記収納体の側壁の前記閉塞体の近傍に、前記閉塞体を取り付けるための開口部を形成したもので、収納体内の奥に閉塞体を配設する為の組込み作業を収納体の側壁に形成した開口部から指を挿入して行うことが出来、収納体内への閉塞体の組込み作業を非常に容易にすると共に操作パイプの先端を収納体内に収納する際に、操作パイプの先端が開口部の端面に当たって引っ掛るのを略円弧形状部によって防止することが出来る。
【００１５】
第３の発明は、特に、第１又は第２の収納体の側壁の開口部よりも上方に、操作パイプの他端に設けた傾斜部又は、略円弧形状部をガイドするガイドリブを設けたもので、操作パイプの先端を収納体内に収納する際にガイドリブに沿って操作パイプの先端が誘導されて収納されるため、操作パイプの先端が開口部の端面に当たって引っ掛るのを更にガイドリブによって規制して防止することが出来る。
【００１６】
以下、本発明の実施の形態について、図面を参照しながら説明する。なお、この実施の形態によりこの発明が限定されるものではない。
【００１７】
（実施の形態１）
図１は、本発明の実施の形態１における電気掃除機の全体斜視図、図２は、同電気掃除機の全体斜視図（操作パイプを取り外した状態）、図３は、同電気掃除機の要部断面図、図４は、同電気掃除機の閉塞体の断面図、図５は、同電気掃除機の全体斜視図（床面清掃時）である。
【００１８】
図１から図５において、本実施の形態における電気掃除機は、底面に図示しない吸込開口１ａを有する吸込室（図示せず）を形成した吸込口体１と、掃除機本体２と、この掃除機本体２に着脱可能に装着された伸縮可能な操作パイプ３とを備えている。吸込口体１の後部には、前後方向に回動可能な回転管４が設けられており、この回転管４は、吸込口体１の吸込室（図示せず）に連通されている。また、回転管４の上部は、後述する掃除機本体２の下部の接続部５に連結されている。掃除機本体２は、内部に形成された集塵室６と、この集塵室６と連通すると共に集塵室６を負圧にする電動送風機７を備えている。また、集塵室６には、紙パックなどからなる集塵フィルタＦ（図示せず）等が着脱自在に装着されている。
【００１９】
また、掃除機本体２の上部には、取手８が一体的に設けられており、その前部側には、集塵ホース９の一端が接続され、その集塵ホース９の他端が、操作パイプ３の後端部に接続されている。そして、集塵ホース９は、掃除機本体２の集塵室６に連通している。操作パイプ３の後部には把手部１０が設けられ、前方には、取付凹部１２を有する大径パイプ１１が設けられている。
【００２０】
掃除機本体２の前部には、上端に挿入口１３を有すると共に、操作パイプ３の大径パイプ１１を収納する収納体１７が設けられている。
【００２１】
そして、大径パイプ１１を掃除機本体２に設けた挿入口１３に差し込み、大径パイプ１１の取付凹部１２を、挿入口１３の近傍に設けた係合突出部（図示せず）に係合させると、図示しないロック機構により、係合突出部１４が取付凹部１２にロックされて、操作パイプ３が掃除機本体２に装着される。
【００２２】
この操作パイプ３の大径パイプ１１を、挿入口１３を通して、収納体１７に差し込むと、大径パイプ１１の先端部に形成された当接座１１Ａが、収納体１７の奥に配された閉塞体２０に圧接され、大径パイプ１１が密閉されるようになっている。
【００２３】
又、大径パイプ１１の取付凹部１２と係合突出部とのロックの解除は、掃除機本体２の取手８の上面に設けた解除レバー１５を手前に引くことにより行われるようになっている。
【００２４】
そして、吸込口体１は、回転管４、接続部５を介して集塵室６に連通しているが、掃除機本体２を立てた状態では、連通が遮断される構造としている。また上記したように掃除機本体２に装着された操作パイプ３の先端部は奥で密閉されるようになっている。したがって操作パイプ３の先端部からの吸込みは、掃除機本体２を立てた状態で操作パイプ３を掃除機本体２から取外すことで行なえるようになっている。
【００２５】
また、操作パイプ３は、大径パイプ１１と、この大径パイプ１１内に挿入された小径パイプ１６とを有し、この大径パイプ１１が、操作パイプ３内を摺動移動することにより伸縮するものであり、そして、操作パイプ３に設けたボタン１８を押すと、大径パイプ１１の摺動移動が可能となり、そのボタン１８の押圧を解除すると、大径パイプ１１はその位置でロックされるようになっている。
【００２６】
また、小径パイプ１６の先端には、傾斜部２５が設けられており、この傾斜部２５に相対する収納体１７の側壁に、閉塞体２０を取り付けるための開口部２１が形成されている。また、開口部２１は、閉塞体２０の近傍で閉塞体２０よりも収納体１７の挿入口１３側に設けられている。
【００２７】
また、上記開口部２１よりも挿入口１３側の収納体１７の側壁には、ガイドリブ２６が設けられている。
【００２８】
また、閉塞体２０は、発泡ゴムからなる弾性体２２と、粘着剤２３の２層からなる複合体で構成され、粘着剤２３により、収納体１７へ貼り付けるだけの貼付け作業で、作業を非常に容易に行えるようになっている。
【００２９】
また、上記閉塞体２０は、発泡ゴムからなる弾性体２２と粘着剤２３の２層からなる複合体の板材を打抜き加工としたものであり、閉塞体２０の加工コストを安価に抑えられている。
【００３０】
掃除機本体２の上部には電動送風機７の電源スイッチ（操作スイッチ）１９が設けられている。
【００３１】
以上のように構成された本実施の形態における電気掃除機について、以下その動作、作用を説明する。
【００３２】
先ず、図５に示すように操作パイプ３を伸長させる。そして、電源スイッチ１９をオンにすると、電動送風機７が駆動されて、集塵室６の空気が電動送風機７により吸引されていく。この吸引により集塵室６が負圧となり、この負圧が回転管４および吸込口体１の吸込室に作用し、吸込室の吸込開口から空気とともに塵埃が吸引されていく。吸込室に吸引された空気および塵埃は、回転管４を介して掃除機本体２の集塵室６へ吸引されていき、塵埃が集塵フィルタＦに集塵されていく。なお、集塵方式は集塵フィルタＦのないサイクロン方式であってもよい。
【００３３】
吸込口体１による床面の掃除を行う場合には、図５に示すように、操作パイプ３の把手部１０を持って掃除機本体２を前後に移動させれば床面などの掃除が行える。（この時、掃除機本体２に装着された操作パイプ３の先端部は、閉塞体２０で密閉されている）。
【００３４】
また、図２に示すように操作パイプ３を掃除機本体２から取り外して掃除を行う場合、掃除機本体２を立てた状態で（掃除機本体２を立てた状態では集塵室６への連通が遮断される）掃除機本体２の上部に設けた解除レバー１５を引くことにより係合突出部のロックの解除を行い、操作パイプ３を掃除機本体２から取外すことで、操作パイプ３の先端部から吸引された空気および塵埃は、操作パイプ３および集塵ホース９を介して掃除機本体２の集塵室６へ吸引されていく。
【００３５】
電動送風機７により吸引された空気は、電動送風機７のモータ（図示せず）内を通ってこのモータを冷却していく。モータを冷却した空気は、電動送風機７を収納した電動室（図示せず）を介して掃除機本体２に設けた図示しない排気孔から外へ排気されていく。
【００３６】
また、収納体１７の側壁の閉塞体２０の近傍に開口部２１が形成したことにより、収納体１７内の奥に閉塞体２０を配設する為の組込み作業を、収納体１７の側壁に形成した開口部２１から指を挿入して行うことが出来、収納体１７内への閉塞体２０の組込み作業を、非常に容易にすることが出来るものである。
【００３７】
また、閉塞体２０の近傍の収納体１７の側壁で且つ傾斜部２５に相対する側壁に開口部２１を形成したことにより、操作パイプ３の先端を収納体１７内に収納する際に操作パイプ３の先端部である小径パイプ１６の先端が、開口部２１の端面に当たって引っ掛るのを傾斜部２５によって防止することが出来るものであり、操作パイプ３の先端が開口部２１の端面に当たって引っ掛り収納し難いという従来の課題を解決できるのもである。
【００３８】
また、収納体１７の側壁の開口部２１よりも挿入口１３側の収納体１７の側壁にガイドリブ２６を設けたことにより、操作パイプ３の先端を収納体１７内に収納する際に、ガイドリブ２６に沿って操作パイプ３の先端部である小径パイプ１６の先端が誘導されて収納されるため、小径パイプ１６の先端が開口部２１の端面に当たって引っ掛るのを更にガイドリブ２６によって規制して防止することが出来るものである。
【００３９】
また、開口部２１は、閉塞体２０の近傍で閉塞体２０よりも収納体１７の挿入口１３側に設けられており、閉塞体２０よりも先の収納体１７の底面部側を開口部を有しない閉空間とすることを確実に確保することが出来るものである。
【００４０】
また、閉塞体２０は、発泡ゴムからなる弾性体２２と粘着剤２３の２層からなる複合体で構成されているので、粘着剤２３により、収納体１７へ貼り付けるだけの貼付け作業で、閉塞体２０の取り付け作業を非常に容易に行うことが出来るものである。
【００４１】
また、上記閉塞体２０は、発泡ゴムからなる弾性体２２と粘着剤２３の２層からなる複合体の板材を打抜き加工して製造するので、閉塞体２０の加工コストを安価に抑えることが出来るものである。
【００４２】
（実施の形態２）
図６は、本発明の実施の形態２における電気掃除機の閉塞体の断面図である。なお、上記実施の形態１と同一部分については同一符号を付してその説明を省略する。
【００４３】
図６において、本実施の形態における電気掃除機は、小径パイプ１６の先端に、略円弧形状部３０を形成したもので、この略円弧形状部３０により、操作パイプ３の先端部を収納体１７内に収納する際に、操作パイプ３の先端部である小径パイプ１６の先端が開口部２１の端面に当たって引っ掛るのを確実に防止することが出来るものであり、操作パイプ３の先端部が開口部２１の端面に当たって引っ掛り収納し難いという課題を解決できるのもである。
【００４４】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。
【産業上の利用可能性】
【００４５】
以上のように、本発明にかかる電気掃除機は、収納体内への閉塞体の組込み作業が非常に容易で、しかも、操作パイプの先端を収納体内に収納する際に、操作パイプの先端が開口部の端面に当たって引っ掛るのを防止することができ、軽労働の組立て易い電気掃除機を提供することが出来るので、家庭、業務用等の電気掃除機に幅広く応用できる。
【図面の簡単な説明】
【００４６】
【図１】本発明の実施の形態１における電気掃除機の全体斜視図
【図２】同電気掃除機の全体斜視図（操作パイプを取り外した状態）
【図３】同電気掃除機の要部断面図
【図４】同電気掃除機の閉塞体の断面図
【図５】同電気掃除機の全体斜視図（床面清掃時）
【図６】本発明の実施の形態２における電気掃除機の要部断面図
【図７】従来の電気掃除機の全体側面図
【図８】従来の他の電気掃除機の全体側面図
【図９】従来の電気掃除機の収納体部の拡大断面図
【図１０】従来の他の電気掃除機の収納体部の拡大断面図
【符号の説明】
【００４７】
１      吸込口体
１ａ    吸込開口
２      掃除機本体
３      操作パイプ
４      回転管
５      接続部
６      集塵室
７      電動送風機
１１    大径パイプ
１１Ａ  当接座
１６    小径パイプ
１７    収納体
１８    ボタン
１９    電源スイッチ（操作スイッチ）
２０    閉塞体
２１    開口部
２５    傾斜部
２６    ガイドリブ
３０    略円弧形状部
【図１】
2010194210.tif 000003
【図２】
2010194210.tif 000004
【図３】
2010194210.tif 000005
【図４】
2010194210.tif 000006
【図５】
2010194210.tif 000007
【図６】
2010194210.tif 000008
【図７】
2010194210.tif 000009
【図８】
2010194210.tif 000010
【図９】
2010194210.tif 000011
【図１０】
2010194210.tif 000012